(57)【特許請求の範囲】
【請求項１】
乗物の客室内における天井に配置され、有機ＥＬ（エレクトロルミネッセンス）を光源として備えた照明装置において、
前記有機ＥＬをパネル状に加工した第１光源と、該第１光源を保持し有機ＥＬの発光面を下方の客室内へ向けた状態で前記天井に取り付けるケース本体と、前記有機ＥＬの発光と比べて指向性が高い光を照射可能な別の光源から成る第２光源とを有し、
前記第１光源および前記ケース本体は、平面視で前記客室の長手方向に延びる長方形に形成され、
前記ケース本体の両側端に、それぞれの上縁および下縁より側方へ延出したフランジが設けられ、
前記上縁のフランジおよび前記下縁のフランジに囲まれた空間内に、前記第２光源が、少なくとも前記天井の隅に向けて直接光を照射する状態に配置され、
前記上縁のフランジおよび前記下縁のフランジに囲まれた空間内に、前記第２光源からの直接光の照射範囲を、その光軸より上下に亘る所定幅に狭める配光規制手段が設けられたことを特徴とする照明装置。
【請求項２】
前記下縁のフランジは、前記第２光源からの直接光のうち下方の客室内へ向かう配光を遮る受け部となることを特徴とする請求項１に記載の照明装置。
【請求項３】
前記第２光源と、前記上縁のフランジおよび下縁のフランジは、前記ケース本体とは別体のユニットに設けられ、該ユニットごと前記ケース本体の両側端に後付けすることを特徴とする請求項１または２に記載の照明装置。
【請求項４】
前記第２光源および前記配光規制手段は、前記ケース本体とは別体のユニットに設けられ、該ユニットごと前記ケース本体の両側端に後付けされることを特徴とする請求項１、２または３に記載の照明装置。
【請求項５】
前記第２光源は、細幅状に延びる基板上に複数並べて配列させたＬＥＤ（発光ダイオード）から成ることを特徴とする請求項１，２，３または４に記載の照明装置。
【請求項６】
前記第１光源であるパネル状の有機ＥＬは、発光しない時は透明なものもあり、
前記ケース本体のうち、有機ＥＬの発光面を表出させる底面側の開口と対向する上面側も開口し、
前記ケース本体を、前記天井に予め設けた開口ないし透明の窓部に合わせて取り付けることを特徴とする請求項１，２，３，４または５に記載の照明装置。
【発明の詳細な説明】
【技術分野】
【０００１】
本発明は、乗物の客室内における天井に配置され、有機ＥＬ（エレクトロルミネッセンス）を光源として備えた照明装置に関し、例えば鉄道車両等の乗物の客室内における照明に用いられるものである。
【背景技術】
【０００２】
近年、鉄道車両等の乗物の客室内を照らす照明装置では、光源にＬＥＤ（発光ダイオード）を使用したものが増え始めている。ただし、ＬＥＤは点光源であり、視野に入った際に眩しいので、乗客の不快感を減らすべく眩しさを抑制するために、器具にカバーをつけたり、間接照明にしたりする等、特別な工夫が必要であった。
【０００３】
ところで、最近脚光を浴びている発光素子として、有機ＥＬ（エレクトロルミネッセンス）が知られている。これは、電気を流すと光る性質を持つ有機化合物によって発光するものであり、パネル状に加工可能で自ら発光（自発光）する面光源となるため、表示装置のみならず、積極的に照明としての活用も検討され始めている。
【０００４】
既に、有機ＥＬを使用した照明装置として、例えば特許文献１には、青色発光のＬＥＤと黄色発光の有機ＥＬからの光を混合することで白色照明光を得ることができ、ＬＥＤの光が有機ＥＬの間を通過するように、ＬＥＤを有機ＥＬ発光装置と重ならない位置に設けたものが開示されている。
【０００５】
かかる照明装置では、ＬＥＤから照射された光が、有機ＥＬ自体を通過することなく、有機ＥＬの間を通過するように配光される。このＬＥＤからの光が、有機ＥＬの照射範囲ないし方向と重なるように照射されることで、ＬＥＤからの光と有機ＥＬからの光は混合されて、同一の対象に向けて照射されることが特徴となっている。
【先行技術文献】
【特許文献】
【０００６】
【特許文献１】特開２０１２−１５１１０１号公報
【発明の概要】
【発明が解決しようとする課題】
【０００７】
前述した特許文献１に開示された照明装置では、有機ＥＬおよびＬＥＤからの光の照射範囲が同じであるため、鉄道車両等の乗物の客室内への利用を考えた場合、結局は有機ＥＬとＬＥＤを単に組み合わせただけとなり、有機ＥＬとＬＥＤのそれぞれの光の特長を生かせないという問題があった。
【０００８】
すなわち、面光源である有機ＥＬからの光は、客室内に対して間接光とすることなく、そのまま面発光の柔らかな光として照射することができるにも関わらず、これに点光源であるＬＥＤからの光を混合させると、客室内の乗客に不快な眩しさを与える虞があった。また、指向性の高いＬＥＤからの光であっても、単に客室内に向けて照射されるだけとなり、天井面やその隅には光が届かないという問題があった。
【０００９】
一般的な通勤車両では、天井の隅に広告が貼り付けられていることが多く、かかる位置には乗客もいないため、局所的に明るく照らしても乗客が眩しさを感じることなく、広告効果も高めることができる。しかしながら、特許文献１に開示された照明装置では、指向性の高いＬＥＤからの光を、必要な領域のみに照射するという部分照明として利用は困難であった。
【００１０】
本発明は、以上のような従来の技術の有する問題点に着目してなされたものであり、乗客のいる客室内に対しては、有機ＥＬにより眩しさを抑制した柔らかい光で照明することができる一方、天井の隅に対しては他の光源より指向性の高い光で明るく照明することができ、有機ＥＬと他の光源のそれぞれの特長を生かして乗物の客室内における最適な照明を実現することが可能な照明装置を提供することを目的としている。
【課題を解決するための手段】
【００１１】
前述した目的を達成するための本発明の要旨とするところは、以下の各項の発明に存する。  
［１］乗物（１）の客室（２）内における天井（３）に配置され、有機ＥＬ（エレクトロルミネッセンス）（２１）を光源として備えた照明装置（１０）において、
前記有機ＥＬ（２１）をパネル状に加工した第１光源（２０）と、該第１光源（２０）を保持し有機ＥＬ（２１）の発光面（２２）を下方の客室（２）内へ向けた状態で前記天井（３）に取り付けるケース本体（１１）と、前記有機ＥＬ（２１）の発光と比べて指向性が高い光を照射可能な別の光源から成る第２光源（３０）とを有し、
前記第１光源（２０）および前記ケース本体（１１）は、平面視で前記客室（２）の長手方向に延びる長方形に形成され、
前記ケース本体（１１）の両側端に、それぞれの上縁および下縁より側方へ延出したフランジ（１３，１４）が設けられ、
前記上縁のフランジ（１３）および前記下縁のフランジ（１４）に囲まれた空間内に、前記第２光源（３０）が、少なくとも前記天井（３）の隅に向けて直接光を照射する状態に配置され、
前記上縁のフランジ（１３）および前記下縁のフランジ（１４）に囲まれた空間内に、前記第２光源（３０）からの直接光の照射範囲を、その光軸より上下に亘る所定幅に狭める配光規制手段（６１，６２）が設けられたことを特徴とする照明装置（１０）。
【００１３】
［２］前記下縁のフランジ（１４）は、前記第２光源（３０）からの直接光のうち下方の客室（２）内へ向かう配光を遮る受け部（１４）となることを特徴とする前記［１］に記載の照明装置。
【００１５】
［３］前記第２光源（３０）と、前記上縁のフランジ（１３）および下縁のフランジ（１４）は、前記ケース本体（１１）とは別体のユニット（４０）に設けられ、該ユニット（４０）ごと前記ケース本体（１１）の両側端に後付けすることを特徴とする前記［１］または［２］に記載の照明装置（１０）。
【００１６】
［４］前記第２光源（３０）および前記配光規制手段（６１，６２）は、前記ケース本体（１１）とは別体のユニット（５０）に設けられ、該ユニット（５０）ごと前記ケース本体（１１）の両側端に後付けされることを特徴とする前記［１］、［２］または［３］に記載の照明装置（１０）。
【００１７】
［５］前記第２光源（３０）は、細幅状に延びる基板（３１）上に複数並べて配列させたＬＥＤ（発光ダイオード）（３２）から成ることを特徴とする前記［１］、［２］、［３］または［４］に記載の照明装置（１０）。
【００１８】
［６］前記第１光源（２０）であるパネル状の有機ＥＬ（２１）は、発光しない時は透明なものもあり、
前記ケース本体（１１）のうち、有機ＥＬ（２１）の発光面（２２）を表出させる底面側の開口と対向する上面側も開口し、
前記ケース本体（１１）を、前記天井（３）に予め設けた開口ないし透明の窓部に合わせて取り付けることを特徴とする前記［１］、［２］、［３］、［４］または［５］に記載の照明装置（１０）。
【００１９】
次に、前述した解決手段に基づく作用を説明する。  
前記［１］に記載の照明装置（１０）によれば、乗客のいる客室（２）内に対しては、有機ＥＬ（２１）をパネル状に加工した第１光源（２０）により、面発光による眩しさを抑制した柔らかい光が照射される。一方、客室（２）の天井（３）の隅に対しては、有機ＥＬ（２１）とは別の光源から成る第２光源（３０）により、有機ＥＬ（２１）の発光と比べて指向性が高い光が照射される。
【００２０】
これにより、客室（２）内の乗客に対しては、不快な眩しさを与えることなく、第１光源（２０）による快適な照明環境を実現できる。しかも、第１光源（２０）からの光が届かない天井（３）の隅は、第２光源（３０）により明るく指向性の高い照明が可能となる。よって、天井（３）の隅に広告（４）がある場合は、この広告（４）を明るく際立たせることで、広告効果を高めることができる。また、広告がない場合でも、天井（３）の隅での光の反射により、客室（２）内をより明るく照明でき、天井（３）や天井（３）の隅が明るく照らされるため、客室（２）内の明るさ感も向上する。
【００２１】
ケース本体（１１）および第１光源（２０）は、客室（２）の長手方向に延びる長方形に形成され、ケース本体（１１）の両側端に、それぞれの上縁および下縁より側方へ延出したフランジ（１３，１４）が設けられる。上縁のフランジ（１３）と下縁のフランジ（１４）に囲まれた空間内に配置された第２光源（３０）は、それぞれ側端より側方に向けて直接光を照射する。これにより、第２光源（３０）は、ケース本体（１１）にて第１光源（２０）から照射される光を遮らない位置にあるから、光の損失を防ぐことができる。
また、ケース本体（１１）自体を第２光源（３０）の配置スペースとして活用できるだけでなく、第１光源（２０）は、そのまま下方の客室（２）を照射範囲とする一方、第２光源（３０）は、天井（３）に沿ってその隅までを照射範囲とし、それぞれ最適な配光を実現することができる。
さらに、上縁のフランジ（１３）と下縁のフランジ（１４）に囲まれた空間内に、第２光源（３０）からの直接光の照射範囲を、その光軸より上下に亘る所定幅に狭める配光規制手段（６１，６２）を設ける。かかる配光規制手段（６１，６２）は、具体的には例えば、大きく湾曲した反射鏡（６１）や、所定形状のレンズ（６２）が該当する。
このような配光規制手段（６１，６２）によれば、第２光源（３０）からの直接光を狭角配光とすることにより、客室（２）内における眩しさを抑制することも可能となる。
【００２２】
前記［２］に記載の照明装置（１０）によれば、前記下縁のフランジ（１４）は、第２光源（３０）からの直接光のうち下方の客室（２）内へ向かう配光を遮る受け部（１４）となる。かかる受け部（１４）により、第２光源（３０）からの直接光が客室（２）内に向かうことを防止することができ、第２光源（３０）の照射範囲を前記第１光源（２０）の客室（２）内への照射範囲以外に容易に限定することができる。
【００２５】
前記［３］に記載の照明装置（１０）によれば、第２光源（３０）と、上縁のフランジ（１３）および下縁のフランジ（１４）は、ケース本体（１１）とは別体のユニット（４０）に設けられ、該ユニット（４０）ごとケース本体（１１）の両側端に後付けする。これにより、ケース本体（１１）自体の構成は簡易化することができると共に、第２光源（３０）等の取り付け部位に関してはデザインの自由度を高めることができる。
同様に、前記［４］に記載の配光規制手段（６１，６２）と第２光源（３０）とを、別体のユニット（５０）として設けても良い。
【００２６】
前記［５］に記載の照明装置（１０）によれば、第２光源（３０）は、細幅状に延びる基板（３１）上に複数並べて配列させたＬＥＤ（３２）から成る。かかる第２光源（３０）によれば、簡易な構成によりＬＥＤ（３２）の配光特性を活用した天井（３）部の隅に対する照明が可能となる。ここで個々のＬＥＤ（３２）は点光源であるが、複数並べたことにより、直線状に延びる広い範囲での配光が可能となり、また、ＬＥＤは有機ＥＬ（２１）と比べて指向性も高い。
【００２７】
前記［６］に記載の照明装置（１０）によれば、第１光源（２０）であるパネル状の有機ＥＬ（２１）は、発光しない時は透明であり、透視可能なものもある。また、ケース本体（１１）のうち、有機ＥＬ（２１）の発光面（２２）を表出させる底面側の開口と対向する上面側も開口させることで、第１光源（２０）およびケース本体（１１）は、これ自体が発光しない時は透視可能な窓状のものとなる。
【００２８】
そして、前記ケース本体（１１）を、天井（３）に予め設けた開口ないし透明の窓部に合わせるように取り付ける。これにより、照明装置（１０）を単なる発光手段としてだけではなく、サンルーフ等のような天井（３）における窓の一部としても活用することが可能となる。
【発明の効果】
【００２９】
本発明に係る照明装置によれば、乗客のいる客室内に対しては、有機ＥＬにより眩しさを抑制した柔らかい光で照明することができる一方、天井の隅に対しては他の光源より指向性の高い光で明るく照明することができ、有機ＥＬと他の光源のそれぞれの特長を生かして乗物の客室内における最適な照明を実現することができる。
【図面の簡単な説明】
【００３０】
【図１】本発明の第１実施の形態に係る照明装置の一端部を拡大して示す端面図である。
【図２】本発明の第１実施の形態に係る照明装置の一端部を拡大して示す斜視図である。
【図３】本発明の第１実施の形態に係る照明装置の取り付け状態を概略的に示す断面図である。
【図４】本発明の第１実施の形態に係る照明装置の取り付け状態を含む鉄道車両の客室内を概略的に示す断面図である。
【図５】本発明の第１実施の形態に係る照明装置の照射範囲を模式的に示す端面図である。
【図６】本発明の第２実施の形態に係る照明装置のユニットを拡大して示す端面図である。
【図７】本発明の第３実施の形態に係る照明装置のユニットを拡大して示す端面図である。
【図８】本発明の第４実施の形態に係る照明装置のユニットを拡大して示す端面図である。
【発明を実施するための形態】
【００３１】
以下、図面に基づき、本発明を代表する各種実施の形態を説明する。  
図１〜図５は、本発明の第１実施の形態を示している。  
図１に示すように、照明装置１０は、有機ＥＬ２１をパネル状に加工した第１光源２０と、この第１光源２０を保持し有機ＥＬ２１の発光面２２を下方の客室２内へ向けた状態で天井３に取り付けるケース本体１１と、有機ＥＬ２１とは別の光源から成る第２光源３０とを有している。以下、鉄道車両１における客室２内の天井３に配置した例を説明する。
【００３２】
第１光源２０は、平面視で長手方向に延びる長方形のパネル状に有機ＥＬ２１を加工したものである。ここで有機ＥＬ２１には、一般的には照明用とディスプレイ用のものがあり、照明用では文字や絵柄を表示することができない。以下、ディスプレイ用のものを例に説明する。有機ＥＬ２１にて、下方を向く底面側は、後述のケース本体１１で縁取りされる発光面２２となっている。なお、有機ＥＬ２１は、自ら光るため、バックライトで照らす液晶よりも薄いパネル状に加工することができる等の特長がある。
【００３３】
詳しく言えば、ディスプレイ用の有機ＥＬ２１は、透明なパネル基板上に、陽極（アノード）と陰極（カソード）をマトリクス状に配置し、各電極が交差する部位に、各色に発光する有機化合物を含む薄い膜（発光層）を挟んで構成されている。ここで各電極に電圧を印加することにより、有機化合物が各色に発光し、この発光の３原色の加法混色によりフルカラー表示が可能となる。
【００３４】
有機ＥＬ２１の駆動方式には、大別して２つの方式があり、画素（ピクセル）毎に制御して表示するアクティブマトリクス型と、行ないし列方向を制御して交差する点を発光制御するパッシブマトリクス型とがある。何れもマトリクス制御方式であり、水平ないし垂直方向の制御が交差した画素を光らせる点は共通するが、パッシブマトリクス型は、構造が簡易であり、アクティブマトリクス型は、高発光効率と高画質を得ることができる。
【００３５】
このような有機ＥＬ２１は、パネル状に形成することが容易であるため、面発光を可能とし、均等拡散に近い配光となり、直接視野に入っても眩しさを感じることは少ない。また、有機ＥＬ２１は、点灯していない、すなわち何も表示していない時は透明であり、有機ＥＬ２１を通して向こう側を透視することができる。
【００３６】
また、有機ＥＬ２１の発光面２２は、単に発光させるだけでなく、例えば電車の停車駅や経路の案内情報、その他各種広告等の様々な各種情報をカラー表示することができる。なお、有機ＥＬ２１の側端には、図示省略したが制御基板からの点灯制御の信号を授受するコネクタや電源用配線のためのコネクタ等が設けられる。
【００３７】
ケース本体１１は、前記第１光源２０を収納する底浅な箱状に形成されており、その底面側が、有機ＥＬ２１の発光面２２を表出させるように大きく開口している。ケース本体１１の内側の空間は、前記第１光源２０がちょうど収まる大きさ形状に合致している。ケース本体１１は、前記第１光源２０と同様に、平面視で客室２の長手方向に延びる長方形に形成されている。このようなケース本体１１は、アルミニウム等の金属により形成することができる。
【００３８】
また、ケース本体１１の長辺となる両側端に沿って、それぞれ第２光源３０が設けられている。ここで第２光源３０は、ケース本体１１にて前記第１光源２０から照射される光を遮らない位置に設けられており、後述するが、少なくとも天井３の隅に向けて直接光を照射するよう配置されている。
【００３９】
ケース本体１１の両側端面１２の上縁には、それぞれ側方へ所定幅で延出したフランジ１３が設けられている。同様に、ケース本体１１の両側端面１２の下縁にも、それぞれ側方へ所定幅で延出したフランジ１４が設けられている。ケース本体１１の両側端にて、側端面１２と上下のフランジ１３，１４に囲まれた空間が、第２光源３０の配置スペースとなっている。
【００４０】
第２光源３０は、その具体的な光源の種類は特に限定されないが、前記有機ＥＬ２１の発光と比べて指向性が高い光を照射可能な別の光源から成り、具体的には例えば、ＬＥＤであることが好ましい。ＬＥＤは、小型であること、低消費電力であること、長寿命であること等の特長があり、前記有機ＥＬ２１の発光と比べて指向性が高いだけでなく、光強度も強い。本実施の形態に係る第２光源３０は、細幅状に延びる基板３１上に、表面実装型のＬＥＤチップ３２を等間隔に複数配列させて固定したものである。
【００４１】
ここでＬＥＤチップ３２自体の構成は、一般的であるので詳細な説明は省略するが、基板３１に対して直交する光軸を中心に所定角度の放射範囲で光を出射するタイプが用いられる。ＬＥＤチップ３２の発光色は任意に選択できる。また、基板３１の実装面上には、ＬＥＤチップ３２が電気的に接続される配線回路が形成されている。なお、基板３１の実装面上には、ＬＥＤチップ３２を覆うように蛍光体層を積層しても良い。
【００４２】
図１に示すように、第２光源３０のうち基板３１が、前記ケース本体１１の側端面１２に対して、側方を向く状態に取り付けられている。ここで第２光源３０は、ケース本体１１において、前記第１光源２０から照射される光を遮らない配置スペースより、少なくとも天井３の隅に向けて直接光を照射するように配置されている。
【００４３】
すなわち、ケース本体１１の両側の第２光源３０のうち、車両側壁寄りの一側端にある第２光源３０は、天井３における直ぐ脇の面から隅となる側壁に向かい湾曲する部位まで直接光を照射し、当該部位に貼り付けられた広告４（図４参照）を照明することができる。一方、車両中央寄りの他側端にある第２光源３０は、天井３における直ぐ脇の面からもう片側にある別の照明装置１０に至る面まで直接光を照射する。
【００４４】
また、ケース本体１１における下側のフランジ１４は、第２光源３０からの直接光のうち下方の客室２内へ向かう配光を遮る受け部となっている。これにより、第２光源３０からの直接光は、天井３の直ぐ脇より隅に向けて照射されるが、客室２内へ向かうことはない。よって、図５に示すように、第２光源３０の照射範囲は、前記第１光源２０の客室２内への照射範囲とは重なることがない。
【００４５】
ケース本体１１の両側端の配置スペースには、第２光源３０を外側から覆うように、透明材質から成る保護カバー（図６参照）を装着しても良い。かかる保護カバーは、無色透明の他、有色透明であっても良く、あるいは光拡散剤を含有させて、保護カバーにより光を拡散させるようにしても良い。
【００４６】
その他、照明装置１０は、第１光源２０や第２光源３０に点灯に必要な電力を供給する電源部のほか、それぞれの点灯を制御する制御基板を備えており、第１光源２０や第２光源３０に対して電気的に接続されている。一般に制御基板は、通常のＣＰＵ、ＲＡＭ、ＲＯＭ、インターフェース等から構成されたマイクロコンピュータから構成されている。また、制御基板には、外部より操作可能なスイッチ等も接続されている。
【００４７】
ここで制御基板は、第１光源２０の点灯回路や第２光源３０の点灯回路を備えている。第１光源２０の点灯回路は、制御基板からの第１光源２０に関する点灯制御の信号に基づき、電源部からの電圧を調整して第１光源２０に出力し、有機ＥＬ２１の点灯ないし表示内容を制御する。第２光源３０の点灯回路は、制御基板からの第２光源３０に関する点灯制御の信号に基づき、電源部からの電圧を調整してＬＥＤチップ３２に出力し、ＬＥＤチップ３２の点灯を制御する。
【００４８】
次に、本第１実施の形態に係る照明装置１０の作用について説明する。  
図１に示すように、照明装置１０は、鉄道車両１の客室２内の天井３に沿って前後方向に延びるように取り付ける。ここで照明装置１０の全長は、任意の大きさに設計できるが、複数の照明装置１０を一列に順次繋ぐことにより、個々の照明装置１０をユニットとして、所望の長さに連ねることができる。
【００４９】
本実施の形態では、天井３の前後方向に延びる中心線を対称軸として、左右対称に２列に並ぶように照明装置１０を配置している。これにより、客室２内を左右両側からバランス良く広範囲に照らすことができる。ここで左右の照明装置１０は、それぞれ個別に点灯制御できるようにしても良い。あるいは、図示省略したが、横幅を大きく設計した１つの照明装置１０を、天井３の中心線に沿って配置しても良い。
【００５０】
本照明装置１０では、客室２内を照らす第１光源２０の光源として、有機ＥＬ２１を採用したことにより、その発光面２２から下方の客室２内の全体に向けて、面発光による眩しさを抑制した柔らかい光を照射する。このような有機ＥＬ２１による均等拡散に近い配光によれば、客室２内の乗客が不快な眩しさを感じることはなく、快適な照明環境を実現することができる。
【００５１】
また、有機ＥＬ２１の発光面２２は、前述したように単に発光させるだけでなく、例えば電車の停車駅や経路の案内情報、その他各種広告等の様々な各種情報をカラー表示しても良い。かかる有機ＥＬ２１の表示内容として、他にも例えば、鉄道車両１の走行位置が市街地か郊外であるか等の外の景色や天気等の外部状況を表示しても良い。あるいは、運行時のイベント等に応じて、有機ＥＬ２１の発光面２２全体をイルミネーションのように発光調色しても面白い。
【００５２】
一方、客室２の天井３に対しては、前記有機ＥＬ２１とは別の光源から成る第２光源３０により、有機ＥＬ２１の発光と比べて指向性が高い光を照射する。すなわち、前記有機ＥＬ２１を下方に向けて保持するケース本体１１の両側端には、第２光源３０が設けられており、前記第１光源２０では光が届かない天井３の隅まで、第２光源３０によって明るく指向性の高い照明が可能となる。
【００５３】
これにより、天井３の隅に広告４がある場合には、この広告４を照明により明るく際立たせることが可能となり、いっそう広告効果を高めることができる。また、第２光源３０によれば、天井３の隅にある広告４だけでなく、車両中央寄りを向く第２光源３０により、天井３の中心線に沿って中吊り広告が設置されている場合には、この中吊り広告も同様に直接光で明るく照らして目立たせることができる。さらには、天井３の面全体を明るく照らすことが可能で、また、スクリーンに見立てた発光調色による様々な照明演出も可能となる。
【００５４】
特に第２光源３０は、ＬＥＤチップ３２を光源としたことにより、所望の明るさを低い電力消費で得られるばかりでなく、前記有機ＥＬ２１の薄型化と相俟って装置全体をコンパクトに構成することができる。従って、照明装置１０による乗客に対する圧迫感も少なく、客室２に合わせた照明装置１０の自由度の高いデザインも可能となる。
【００５５】
また、図５に示すように、第２光源３０は、ケース本体１１にて第１光源２０から照射される光を遮らない位置にあるから、照明装置１０全体としての光の損失も防ぐことができる。さらに、第２光源３０から出射された直接光のうち水平に延びる光軸より下向きの光の一部は、ケース本体１１の下側のフランジ１４から成る受け部によって遮られる。従って、第２光源３０からの直接光が客室２内へ向かうことを防止することができ、第２光源３０の照射範囲を、前記第１光源２０の客室２内への照射範囲以外に容易に限定することができる。
【００５６】
図６は、本発明の第２実施の形態を示している。  
本実施の形態では、前記第２光源３０および前記フランジ１４に相当する受け部が、前記ケース本体１１とは別体のユニット４０に設けられており、該ユニット４０ごと前記ケース本体１１の両側端に後付けするように構成されている。
【００５７】
ユニット４０は、長尺に延びており側方に開口した略コ字形の断面形状であり、その長手方向に延びる側壁４１の上下端縁には、それぞれ側方に向って延出した上面壁４２と下面壁４３が形成され、下面壁４３は受け部として側方により長く延出している。このようなユニット４０は、アルミニウム等の金属や不燃性の合成樹脂により容易に一体成形することができる。
【００５８】
側壁４１の内面に、予め前記第２光源３０の基板３１が取り付けられており、その外側には、透明材質から成る保護カバー４４を取り付けても良い。ユニット４０の上面壁４２と下面壁４３の内面のうち最奥とその開口側に、互いに上下に対向する一対のレール溝が２組設けられている。奥側のレール溝の間には、前記基板３１の両側端縁がそれぞれ摺動可能に嵌合する状態で取り付けられ、開口側のレール溝の間には、保護カバー４４の両側端縁がそれぞれ摺動可能に嵌合する状態で取り付けられる。
【００５９】
本実施の形態によれば、ケース本体１１自体の構成は簡易化することができると共に、第２光源３０等の取り付け部位に関してはデザインの自由度を高めることができる。なお、図示省略したがケース本体１１は、第１実施の形態のものから上下のフランジ１３，１４を省いた簡易な底浅の箱形に構成することができる。
【００６０】
図７は、本発明の第３実施の形態を示している。  
本実施の形態では、第２光源３０からの直接光の照射範囲を、その光軸より上下に亘る所定幅に狭める配光規制手段として、図示したように大きく湾曲した反射鏡６１を備えている。かかる反射鏡６１は、ケース本体１１の両側端に後付けする別体のユニット５０に設けられている。なお、反射鏡６１は、その凹んだ頂部に第２光源３０が配されるため、上下に分割したものを、それぞれ第２光源３０を間にして組み合わせたり、あるいは凹んだ頂部の底に第２光源３０を配置させても良い。
【００６１】
ユニット５０は、前記第２実施の形態のユニット４０と同様に、長尺に延びて側方に開口した略コ字形の断面形状であるが、側壁５１と上面壁５２と下面壁５３は、それぞれ別の板材を組み合わせて成る。本ユニット５０では、上面壁５２および下面壁５３は、同じ長さだけ側方に延出している。なお、第２光源３０は、図中ではＬＥＤチップ３２のみから成るが、もちろん前記第１実施の形態と同様に構成しても良い。
【００６２】
本実施の形態によれば、配光規制手段としての反射鏡６１によって、第２光源３０からの直接光を、ＬＥＤチップ３２の光軸より上下に亘る所定幅に狭めた狭角配光とすることができる。これにより、客室２内における眩しさを抑制することができる。なお、ユニット５０の代わりに、前記第２実施の形態のユニット４０を用いて構成したり、前記第１実施の形態のケース本体１１の側端面１２に直接取り付けるようにしても良い。反射鏡６１と前述した受け部を組み合わせれば、より確実に第２光源３０の照射範囲を前記第１光源２０の客室２内への照射範囲以外に容易に限定することができる。
【００６３】
図８は、本発明の第４実施の形態を示している。  
本実施の形態では、基本的には前記第３実施の形態と構成が共通するが、配光規制手段として、図示した所定形状のレンズ６２を備えている。かかるレンズ６２は、ケース本体１１の両側端に後付けする別体のユニット５０に設けられている。かかるレンズ６２は、同一断面形状で長尺に延びるように一体に形成すると良い。
【００６４】
本実施の形態によれば、配光規制手段としてのレンズ６２によって、第２光源３０からの直接光を、ＬＥＤチップ３２の光軸より上下に亘る所定幅に狭めた狭角配光とすることができる。これにより、前記第３実施の形態と同様に、客室２内における眩しさを抑制することができる。かかるレンズ６２も、前述した受け部と組み合わせても良い。なお、前記第３実施の形態と同種の部位については同一符号を付し、重複した説明は省略する。
【００６５】
さらに、別の実施の形態として、前記照明装置１０を鉄道車両１の客室２内の天井３における窓として活用することもできる。かかる場合、図示省略したが前記ケース本体１１のうち、有機ＥＬ２１の発光面２２を表出させる底面側の開口と対向する上面側も開口させる。これにより、照明装置１０自体としては、前記第１光源２０の有機ＥＬ２１の表裏を覆うものはなく、発光しない時は透明な窓ガラスのように機能する。
【００６６】
このようなケース本体１１を、天井３に予め設けた開口ないし透明の窓部に合わせて取り付ける。ここで開口に関しては、天井３（の壁材）の一部をくり抜くように、ケース本体１１に合致する形状に開口させて、当該部位にケース本体１１を嵌め込むように取り付けると良い。このとき、ケース本体１１の両側端にある第２光源３０は、天井３の面に沿わせて隅まで直接光を照射できる配置とする。
【００６７】
あるいは、天井３の一部を予め強化ガラス等の透明材質により窓部として設けておき、この窓部の内側にケース本体１１を重ねるように取り付けても良い。
何れの場合にせよ、照明装置１０は単なる発光ないし表示の手段のみならず、有機ＥＬ２１を発光させない時には、サンルーフ等のような天井３における窓の一部として活用することが可能となる。
【００６８】
以上、本発明の実施の形態を図面によって説明してきたが、具体的な構成は前述したような実施の形態に限られるものではなく、本発明の要旨を逸脱しない範囲における変更や追加があっても本発明に含まれる。例えば前記実施の形態では、鉄道車両１の客室内２の天井３に設置する例を説明したが、航空機や自動車等の他の乗物における客室内の間接照明に適用しても良い。
【００６９】
また、ケース本体１１や第１光源２０等の具体的な形状も図示した例に限定されることはない。また、第２光源３０の配置は、必ずしもケース本体１１の側端に限られることなく、前記第１光源２０から照射される光を遮らない位置にて、少なくとも天井３の隅に向けて直接光を照射できれば良い。
【００７０】
さらに、第２光源３０としてＬＥＤを使用した例を説明したが、他に例えば小型電球等を使用しても良い。また、前記配光規制手段は、反射鏡やレンズに限定されるものではなく、他の狭角に配光可能な構成としても良い。
【産業上の利用可能性】
【００７１】
本発明に係る照明装置は、鉄道車両や航空機、自動車等の客室内の照明として幅広く利用することができる。
【符号の説明】
【００７２】
１…鉄道車両
２…客室
３…天井
４…広告
１０…照明装置
１１…ケース本体
１２…側端面
１３…フランジ
１４…フランジ（受け部）
２０…第１光源
２１…有機ＥＬ
２２…発光面
３０…第２光源
３１…基板
３２…ＬＥＤチップ
４０…ユニット
４３…下面壁（受け部）
５０…ユニット
６１…反射鏡（配光規制手段）
６２…レンズ（配光規制手段）
【図１】
0006516502.tif 000002
【図２】
0006516502.tif 000003
【図３】
0006516502.tif 000004
【図４】
0006516502.tif 000005
【図５】
0006516502.tif 000006
【図６】
0006516502.tif 000007
【図７】
0006516502.tif 000008
【図８】
0006516502.tif 000009